(57)【要約】【課題】巾木が壁材から過度に巾木が突き出ることを抑制しつつ、低コストに充分な強度を確保した巾木を取り付けることができる巾木の取付構造を提供することを目的とする。【解決手段】長尺の底壁部１０、及び底壁部１０の一方の端部から立ち上がる長尺の側壁部１２を有する巾木本体３を備える巾木１と、壁材に固定されるベース板部３０、ベース板部３０の壁材に面する側と反対側の表面における上端側と下端側から突出する第１係止部３２及び第２係止部３４を有する巾木用取付具２と、を用いて、壁材と床材とで形成される隅部において、ベース板部３０が壁材に固定された状態の巾木用取付具２の第１係止部３２と第２係止部３４によって巾木本体３の側壁部１２側が上下から挟み込まれるように、巾木１が巾木用取付具２に取り付けられる、巾木の取付構造２００。【選択図】図５
2017025650.tif 000002
【特許請求の範囲】
【請求項１】
壁材と床材とで形成される隅部に巾木用取付具を介して巾木を取り付ける巾木の取付構造であって、
前記巾木は、前記床材に沿う長尺の底壁部、及び前記底壁部の一方の端部から立ち上がり、前記底壁部の長さ方向に延在するように設けられ、前記壁材に沿う長尺の側壁部を有する巾木本体を備え、
前記巾木用取付具は、前記壁材に固定されるベース板部と、前記ベース板部の前記壁材に面する側と反対側の表面における上端側から突出する第１係止部と、該表面における下端側から突出する第２係止部と、を備え、
前記隅部において前記ベース板部が前記壁材に固定され、その状態の前記巾木用取付具の前記第１係止部と前記第２係止部によって前記巾木本体が上下から挟み込まれるように、前記巾木が前記巾木用取付具に取り付けられる、巾木の取付構造。
【請求項２】
前記第１係止部が、その下面に、先端に向かうにつれて前記第２係止部に近づく第１傾斜面を有し、
前記第２係止部が、その上面に、先端に向かうにつれて前記第１係止部に近づく第２傾斜面を有し、
前記第１傾斜面と前記第２傾斜面により前記巾木本体が係止される、請求項１に記載の巾木の取付構造。
【請求項３】
前記巾木が、前記底壁部の底面よりも下方に突き出し、前記底壁部の長さ方向に延在するように前記底壁部に設けられた軟質片を備えている、請求項１又は２に記載の巾木の取付構造。
【請求項４】
前記底壁部の上面と前記側壁部における前記上面が位置する側の表面とで形成される隅部の形状が、前記巾木本体を長さ方向に垂直な方向に切断した断面において円弧状になっている、請求項１〜３のいずれか一項に記載の巾木の取付構造。
【発明の詳細な説明】
【技術分野】
【０００１】
本発明は、巾木の取付構造に関する。
【背景技術】
【０００２】
建築物においては、一般に、床材と壁材との境界に形成される隅部に、壁材下部の保護、意匠性の向上等を目的として巾木が設けられる。工場内等に用いられる巾木として、例えば、長尺の底壁部、及び該底壁部の一方の端部から立ち上がり、該底壁部の長さ方向に延在するように設けられた長尺の側壁部を有する巾木本体を備える巾木が知られている。
【０００３】
このような巾木の床材と壁材で形成される隅部への取付構造としては、例えば、巾木用取付具を介して壁材に巾木を取り付ける取付構造が知られている。
巾木用取付具は、壁材に固定されるベース板部と、ベース板部の壁材に面する側と反対側の表面から突出し、その先端側部分が上方に向かって屈曲しているベース側係合部とを備える。該巾木用取付具を用いる場合の巾木は、巾木本体における側壁部と、側壁部における壁材に面する外面から突出し、その先端側部分が下方に向かって屈曲している巾木側係合部とを備える。壁材と底材で形成される隅部において、壁材に巾木用取付具のベース板部がビス等で固定される。その状態で、ベース側係合部に巾木側係合部が上方から引っ掛けられるようにして係合されることで、巾木が巾木用取付具を介して隅部に取り付けられる（例えば、特許文献１〜４）。
【０００４】
また、壁材に固定されるベース板部と、ベース板部の壁材に面する側と反対側の表面から突出する嵌合突起とを備える巾木用取付具を用いた巾木の取付構造も知られている。該巾木用取付具を用いる場合の巾木は、巾木本体における側壁部に、側壁部における壁材に面する外面から内面に向かって嵌合穴が形成されている。壁材と底材で形成される隅部において、壁材に巾木用取付具のベース板部がビス等で固定される。その状態で、巾木用取付具の嵌合突起を巾木における側壁部の嵌合穴に嵌め込むことで、巾木が巾木用取付具を介して隅部に取り付けられる（例えば、特許文献５、６）。
【先行技術文献】
【特許文献】
【０００５】
【特許文献１】特開平８−２５４００６号公報
【特許文献２】特開２００１−１２０６９号公報
【特許文献３】特表２００８−５１６１０８号公報
【特許文献４】特許第５７４００２４号公報
【特許文献５】特開平１１−１９３６２５号公報
【特許文献６】特公平４−１９８５６０号公報
【発明の概要】
【発明が解決しようとする課題】
【０００６】
しかし、特許文献１〜４の巾木の取付構造では、側壁部の外面側に巾木側係合部が存在するため、巾木側係合部を備えない場合と同様の厚みの側壁部とすると、巾木が壁材から大きく突き出すために邪魔になりやすい。一方、巾木が壁材から過度に突き出ないように側壁部の厚みを薄くすると、側壁部の強度が低下して破損しやすくなる。
また、特許文献５、６の巾木の取付構造では、巾木の側壁部に嵌合突起を嵌め込むための嵌合穴が形成されているため、側壁部の強度が低下して破損しやすくなる。一方、側壁部を充分な強度にするために側壁部の厚みを厚くすると、巾木が壁材から過度に突き出るうえ、コストも高くなる。
【０００７】
本発明は、巾木が壁材から過度に突き出ることを抑制しつつ、低コストに充分な強度を確保した巾木を取り付けることができる巾木の取付構造を提供することを目的とする。
【課題を解決するための手段】
【０００８】
本発明は、以下の構成を有する。
［１］壁材と床材とで形成される隅部に巾木用取付具を介して巾木を取り付ける巾木の取付構造であって、前記巾木は、前記床材に沿う長尺の底壁部、及び前記底壁部の一方の端部から立ち上がり、前記底壁部の長さ方向に延在するように設けられ、前記壁材に沿う長尺の側壁部を有する巾木本体を備え、前記巾木用取付具は、前記壁材に固定されるベース板部と、前記ベース板部の前記壁材に面する側と反対側の表面における上端側から突出する第１係止部と、該表面における下端側から突出する第２係止部と、を備え、前記隅部において前記ベース板部が前記壁材に固定され、その状態の前記巾木用取付具の前記第１係止部と前記第２係止部によって前記巾木本体が上下から挟み込まれるように、前記巾木が前記巾木用取付具に取り付けられる、巾木の取付構造。
［２］前記第１係止部が、その下面に、先端に向かうにつれて前記第２係止部に近づく第１傾斜面を有し、前記第２係止部が、その上面に、先端に向かうにつれて前記第１係止部に近づく第２傾斜面を有し、前記第１傾斜面と前記第２傾斜面により前記巾木本体が係止される、［１］に記載の巾木の取付構造。
［３］前記巾木が、前記底壁部の底面よりも下方に突き出し、前記底壁部の長さ方向に延在するように前記底壁部に設けられた軟質片を備えている、［１］又は［２］に記載の巾木の取付構造。
［４］前記底壁部の上面と前記側壁部における前記上面が位置する側の表面とで形成される隅部の形状が、前記巾木本体を長さ方向に垂直な方向に切断した断面において円弧状になっている、［１］〜［３］のいずれかに記載の巾木の取付構造。
【発明の効果】
【０００９】
本発明の巾木の取付構造は、巾木が壁材から過度に突き出ることを抑制しつつ、低コストに充分な強度を確保した巾木を取り付けることができる。
【図面の簡単な説明】
【００１０】
【図１】本発明の巾木の取付構造に用いる巾木の一例を示した斜視図である。
【図２】図１の巾木のＡ−Ａ断面図である。
【図３】本発明の巾木の取付構造に用いる巾木用取付具の一例を示した正面図である。
【図４】図３の巾木用取付具のＢ−Ｂ断面図である。
【図５】本発明の巾木の取付構造の一例を示した断面図である。
【図６】図５の巾木の取付構造の施工時の工程を示した断面図である。
【図７】本発明の巾木の取付構造の一例を示した正面図である。
【図８】本発明の巾木の取付構造の他の例を示した正面図である。
【図９】本発明の巾木の取付構造に用いる巾木の他の例を示した断面図である。
【図１０】本発明の巾木の取付構造の他の例を示した断面図である。
【図１１】図１１（Ａ）は、本発明の巾木の取付構造における巾木用取付具の他の例を示した断面図であり、図１１（Ｂ）は、本発明の巾木の取付構造における巾木と巾木用取付具の他の例を示した断面図である。
【発明を実施するための形態】
【００１１】
本発明の巾木の取付構造は、壁材と床材とで形成される隅部に巾木用取付具を介して巾木を取り付けるものである。以下、本発明の巾木の取付構造の一例を示して説明する。
本実施形態の巾木の取付構造では、壁材と床材とで形成される隅部に巾木用取付具２を介して巾木１を取り付ける。
【００１２】
（巾木）
巾木１は、図１及び図２に示すように、巾木本体３を備えている。
巾木本体３は、長尺の平板状の底壁部１０と、底壁部１０の一端から垂直に立ち上がり、底壁部１０の長さ方向に延在するように設けられた長尺の平板状の側壁部１２と、を備えている。壁材と床材とで形成される隅部に巾木１が取り付けられる際には、底壁部１０が床材に沿い、側壁部１２が壁材に沿うように配置される。
この例の底壁部１０は、平面視形状が長方形状になっている。また、側壁部１２の正面視形状は長方形状になっている。巾木本体３を長さ方向に垂直な方向に切断した断面形状は、Ｌ字状になっている。
【００１３】
この例の巾木本体３においては、底壁部１０の上面１０ａと、側壁部１２における上面１０ａが位置する側の表面である内面１２ａとで形成される隅部１４は、巾木本体３を長さ方向に垂直な方向に切断したときの断面形状が円弧状になっている。すなわち、巾木本体３の隅部１４は曲面状になっている。本発明の巾木では、このように、底壁部の上面と側壁部における該上面が位置する側の表面とで形成される隅部の形状が、巾木本体を長さ方向に垂直な方向に切断した断面において円弧状になっていることが好ましい。
これにより、巾木本体上では隅部に落ちてきた埃が隅部に沿って底壁部の上面へと転がりやすくなるため、該埃を拭き取り等によって容易に除去することができる。このように、巾木本体上の隅部に埃が溜まって取りにくくなることを抑制できるため、優れた衛生性を維持しやすくなる。
【００１４】
巾木本体の長さ方向に垂直な方向に切断した断面における円弧状の隅部の曲率半径は、巾木の設置場所、埃等の除去性等を考慮して適宜設定することができ、例えば、１５ｍｍ〜５０ｍｍとすることができる。
【００１５】
この例の巾木本体３においては、底壁部１０と側壁部１２で形成される角部１６の外側は、底壁部１０の底面１０ｂと側壁部１２の外面１２ｂのそれぞれに対して傾斜する傾斜面１８が形成されるように隅切りされている。
【００１６】
側壁部１２の上面１２ｃには、巾木本体３の長さ方向に延びる凹条からなる上側係止部２０が形成されている。上側係止部２０を長さ方向に垂直な方向に切断した断面において、上側係止部２０は、側壁部１２の外面１２ｂ側に位置し、内面１２ａに向かうにつれて下方に傾斜した傾斜面２０ａと、円弧状の底部２０ｂと、側壁部１２の内面１２ａ側に位置し、内面１２ａに向かうにつれて上方に傾斜した傾斜面２０ｃとを備えている。
【００１７】
底壁部１０の底面１０ｂにおける角部１６寄りの部分には、巾木本体３の長さ方向に延びる凹条からなる下側係止部２２が形成されている。下側係止部２２を長さ方向に垂直な方向に切断した断面において、下側係止部２２は、角部１６側に位置し、底壁部１０の先端に向かうにつれて上方に傾斜した傾斜面２２ａと、底面１０ｂと平行する平面部２２ｂと、底壁部１０の先端側に位置し、底壁部１０の先端に向かうにつれて下方に傾斜した傾斜面２２ｃとを備えている。
【００１８】
また、側壁部１２の外面１２ｂには、上端側と下端側のそれぞれに、巾木本体３の長さ方向に延びる凹条２４及び凹条２６が形成されている。側壁部１２を巾木本体３の長さ方向に垂直な方向に切断したときの凹条２４の断面形状は、内面１２ａに向かって窄むような台形状になっている。凹条２６の断面形状も同様に、内面１２ａに向かって窄むような台形状になっている。
【００１９】
底壁部１０の幅及び厚みは、強度や巾木１を設置する場所を考慮して適宜設定することができる。また、側壁部１２の高さ及び厚みも、強度や巾木１を設置する場所を考慮して適宜設定することができる。
巾木本体３の長さは、取り扱い性、施工の容易性等を考慮して適宜設定することができる。
【００２０】
巾木本体を形成する材料としては、無機系材料が好ましい。
無機系材料としては、不燃性に優れた材料が好ましく、例えば、主成分として、セメント、ケイ酸質紛体、骨材及び繊維を含む材料（以下、材料Ａということがある。）が挙げられる。なお、セメント、ケイ酸質紛体、骨材及び繊維を主成分とするとは、材料Ａの総質量に対するセメント、ケイ酸質紛体、骨材及び繊維の合計質量の割合が９５質量％以上であることを意味する。
【００２１】
セメントとしては、例えば、各種ポルトランドセメント（普通ポルトランドセメント、早強ポルトランドセメント、中庸熱ポルトランドセメント、低熱ポルトランドセメント、耐硫酸塩ポルトランドセメント等）、ビーライト高含有セメント、アルミナセメント、高炉セメント、フライアッシュセメント、各種混合セメント等の水硬セメントが挙げられる。
セメントとしては、１種を単独で使用してもよく、２種以上を組み合わせて使用してもよい。
【００２２】
ケイ酸質粉体としては、例えば、けい石、けい藻土、マイクロシリカ、シリカヒューム等が挙げられる。なかでも、ケイ酸質粉体としては、けい石が好ましい。
ケイ酸質粉体としては、１種を単独で使用してもよく、２種以上を併用してもよい。
【００２３】
骨材としては、例えば、砂、フライアッシュバルーン、シラスバルーン、真珠岩バルーン、黒曜石バルーン、パーライト、バーミキュライト、カナマイト、ガラスマイクロバルーン等が挙げられる。
骨材としては、１種を単独で使用してもよく、２種以上を組み合わせて使用してもよい。
【００２４】
繊維としては、例えば、パルプ、故紙、ポリアミド繊維、ポリエステル繊維、ポリプロピレン繊維、ビニロン繊維等の有機繊維、ガラス繊維、炭素繊維等の無機繊維等が挙げられる。なかでも、繊維としては、パルプが好ましい。
繊維としては、１種を単独で使用してもよく、２種以上を組み合わせて使用してもよい。
【００２５】
材料Ａ中のセメントの含有量は、３０〜６５質量％が好ましく、３５〜５５質量％がより好ましい。
材料Ａ中のケイ酸質粉体の含有量は、２０〜４０質量％が好ましく、２５〜３７質量％がより好ましい。
材料Ａ中の骨材の含有量は、５〜３０質量％が好ましく、８〜２５質量％がより好ましい。
材料Ａ中の繊維の含有量は、２〜１０質量％が好ましく、２．５〜８質量％がより好ましい。
【００２６】
なお、巾木本体を形成する無機系材料は前記したものには限定されず、例えば、ステンレス鋼、アルミニウム等の金属を用いてもよい。
また、本発明では、巾木本体を形成する材料は、木、樹脂等の無機系材料以外の材料であってもよい。
【００２７】
（巾木用取付具）
巾木用取付具２は、図３及び図４に示すように、ベース板部３０と、第１係止部３２と、第２係止部３４と、を備えている。ベース板部３０、第１係止部３２及び第２係止部３４は一体に形成されている。
【００２８】
ベース板部３０は、壁材に固定される平板状の部材である。ベース板部３０の正面視形状は、上下方向が長い長方形になっている。
ベース板部３０における下端部分３０ｃは、下端部分３０ｃよりも上側の本体部分３０ｂに対して、壁材に面する側と反対側、すなわち表面３０ａ側に屈曲して突き出ている。ベース板部３０における下端部分３０ｃは、巾木１を巾木用取付具２に取り付けた状態において、巾木本体３における角部１６の傾斜面１８に沿うようになっている。
【００２９】
ベース板部３０における横方向の中央には、上下方向の中央よりも上端側と下端側にそれぞれ貫通孔３６、３６が形成されている。貫通孔３６、３６は、巾木用取付具２を壁材に固定する際に、ビス等が挿入されるようになっている。
貫通孔３６、３６の上下方向の位置は、巾木用取付具２に巾木１が取り付けられた状態において、側壁部１２に形成された凹条２４、２６の上下方向の位置と一致するようになっている。これにより、ベース板部３０における貫通孔３６、３６に挿入されるようにビスが打ち込まれて巾木用取付具２が壁材に固定された状態で、巾木１が巾木用取付具２に取り付けられたときには、ビスの頭部が凹条２４、２６内に位置する。そのため、巾木１における側壁部１２と巾木用取付具２のベース板部３０との間に余分な隙間が発生することが抑制される。
【００３０】
巾木用取付具のベース板部に形成される貫通孔の数は、２つには限定されず、１つであってもよく、３つ以上であってもよい。ベース板部には貫通孔が形成されていなくてもよい。
【００３１】
ベース板部３０の厚みは、ベース板部３０の材質、ベース板部３０の壁材への固定方法等を考慮して適宜決定することができ、例えば、０．５ｍｍ〜２．０ｍｍとすることができる。
ベース板部３０の高さは、巾木用取付具２に取り付けられる巾木１の高さに応じて適宜決定することができる。
ベース板部３０の横方向の長さは、巾木１の長さ方向における巾木用取付具２と巾木１との位置関係等を考慮して適宜決定することができる。この例のベース板部３０の横方向の長さは、例えば、２０ｍｍ〜１５０ｍｍとすることができる。
【００３２】
第１係止部３２及び第２係止部３４は、巾木１における巾木本体３の側壁部１２側を上下から挟み込むように支持する部分である。
第１係止部３２は、ベース板部３０の壁材に面する側と反対側の表面３０ａにおける上端側から突出するように形成された板状片であり、正面視におけるベース板部３０の両方の側端側にそれぞれ１つずつ設けられている。この例の第１係止部３２は、ベース板部３０を形成する板部材の上端側における両方の側端側の一部が、それぞれ部分的に前方に折り曲げられて形成されたような態様になっている。
【００３３】
第１係止部３２の平面視形状は矩形状になっており、先端側の部分が斜め下方に向くように屈曲している。このように、第１係止部３２における下面には、先端に向かうにつれて第２係止部３４に近づく第１傾斜面３２ａが形成されている。巾木１を巾木用取付具２に取り付けた状態では、巾木本体３における側壁部１２の上面１２ｃに形成された上側係止部２０に第１係止部３２の先端側が嵌まり、上側係止部２０の傾斜面２０ａが第１係止部３２の第１傾斜面３２ａで係止される。
【００３４】
第１係止部３２は、施工時に巾木１を取り付けることが容易になる点で可撓性を有していることが好ましい。第１係止部３２に可撓性を付与する方法としては、特に限定されず、材質、厚み等により適宜調節することができる。
第１係止部３２の厚みは、巾木１の巾木本体３を係止する強度、巾木１を取り付ける際の施工性等に応じて適宜決定することができ、例えば、０．５ｍｍ〜２．０ｍｍとすることができる。
【００３５】
第２係止部３４は、ベース板部３０における下端、すなわち下端部分３０ｃの下端から、壁材に面する側と反対側である表面３０ａ側に突出するように設けられた板状片である。第２係止部３４は、ベース板部３０の下端における一方の側端から他方の側端まで形成されている。
【００３６】
この例の第２係止部３４は、ベース板部３０側の基端から先端に向かうにつれて上方に傾斜した後に下方に傾斜するように設けられている。すなわち、巾木用取付具２を上下方向に切断したときの第２係止部３４の断面形状は、第２係止部３４における基端と先端の間の部分が上方に突き出すように山型に屈曲した形状になっている。このように、第２係止部３４における上面には、基端側に位置し、先端に向かうにつれて第１係止部３２に近づく第２傾斜面３４ａが形成されている。巾木１を巾木用取付具２に取り付けた状態では、巾木本体３における底壁部１０の底面１０ｂに形成された下側係止部２２に第２係止部３４の先端側が嵌まり、下側係止部２２の傾斜面２２ａが第２係止部３４の第２傾斜面３４ａで係止される。
【００３７】
第２係止部３４は、施工時に巾木１を取り付けることが容易になる点で可撓性を有していることが好ましい。第２係止部３４に可撓性を付与する方法としては、特に限定されず、材質、厚み等により適宜調節することができる。
第２係止部３４の厚みは、巾木１の巾木本体３を係止する強度、巾木１を取り付ける際の施工性等に応じて適宜決定することができ、例えば、０．５ｍｍ〜２．０ｍｍとすることができる。
【００３８】
本発明では、このように巾木用取付具が備える第１係止部と第２係止部における巾木本体を係止する面が傾斜面になっていることが好ましい。これにより、巾木の取り付けや取り外しをより容易に行うことができる。そのため、壁材に固定された状態の巾木用取付具に巾木を取り付ける際の施工性が向上する。また、壁材と床材で形成される隅部に沿って複数の巾木を設置した場合、仮にそのうちの１つの巾木に損傷等の不具合が生じたとしても、該巾木のみを容易に取り換えることができる。
【００３９】
巾木用取付具を形成する材料としては、特に限定されず、例えば、ステンレス鋼、アルミニウム等の金属、塩化ビニル、ポリプロピレン、ポリエチレン、ポリスチレン、アクリロニトリル−ブタジエン−スチレン共重合体（ＡＢＳ）等の樹脂等が挙げられる。
【００４０】
（製造方法）
本発明の巾木の取付構造に用いる巾木と巾木用取付具の製造方法は、特に限定されず、公知の方法を利用することができる。
例えば、材料Ａを用いて巾木の巾木本体を形成する場合は、押出成形等を採用することができる。
巾木用取付具を製造する方法としては、例えば、金属製とする場合は公知の金属加工法を採用することができる。
【００４１】
（取付構造）
以下、巾木１と巾木用取付具２を用いる巾木の取付構造２００について説明する。巾木の取付構造２００では、図５に示すように、床材１００と壁材１０２によって形成される隅部１０４に、巾木用取付具２を介して巾木１が取り付けられる。壁材１０２は、下地材１０６の屋内側にボード材１０８が取り付けられて形成されている。この例の壁材１０２においては、巾木１が配置される部分にはボード材１０８が存在しないようになっている。
【００４２】
巾木の取付構造２００においては、ベース板部３０に形成された貫通孔３６に挿入されるようにビス１１０が下地材１０６まで打ち込まれることで、巾木用取付具２が壁材１０２に固定されている。この状態において、巾木１における巾木本体３の側壁部１２側が、巾木用取付具２の第１係止部３２と第２係止部３４によって上下から挟み込まれるように嵌め込まれて、巾木１が巾木用取付具２を介して隅部１０４に取り付けられる。
【００４３】
巾木１の巾木本体３の上端側においては、側壁部１２の上面１２ｃに形成されている上側係止部２０に巾木用取付具２における第１係止部３２の先端側部分が嵌まり込み、上側係止部２０の傾斜面２０ａが第１係止部３２の第１傾斜面３２ａで係止されている。また、巾木１の巾木本体３の下端側においては、底壁部１０の底面１０ｂに形成された下側係止部２２に巾木用取付具２における第２係止部３４の先端側部分が嵌まり、下側係止部２２の傾斜面２２ａが第２係止部３４の第２傾斜面３４ａで係止されている。
ベース板部３０に打ち込まれたビス１１０の頭部は、巾木本体３の側壁部１２に形成された凹条２４、２６内に位置している。これにより、巾木本体３の側壁部１２の外面１２ｂにおける凹条２４、２６以外の部分は、巾木用取付具２のベース板部３０に密着している。
【００４４】
巾木の取付構造２００においては、壁材１０２におけるボード材１０８の下側に巾木本体３の側壁部１２が入り込むようになっている。また、この例では、巾木本体３の側壁部１２の上端とボード材１０８の下端との間がシーリング材１１２で埋められている。これにより、巾木用取付具２における第１係止部３２と、第１係止部３２よりも上側の部分が目隠しされた状態になっている。
【００４５】
このように、巾木の取付構造２００においては、巾木１における巾木本体３の側壁部１２側が、巾木用取付具２の第１係止部３２と第２係止部３４によって上下から挟持されることで支持されている。これにより、側壁部における壁材に面する側の外面に、該外面から突出する巾木側係合部を設ける場合に比べて、側壁部１２の厚みをある程度厚くして充分な強度を保ちつつ、巾木１が過度に屋内側に突き出ることを抑制することができる。また、側壁部に嵌合穴を形成する場合に比べて、側壁部１２の厚みを過度に厚くしなくても充分な強度を確保できるため、低コストに巾木１を製造することができ、また巾木１が過度に屋内側に突き出ることを抑制することもできる。
【００４６】
巾木１の長さ方向における巾木用取付具２の位置は、特に限定されない。例えば、図７に示すように、巾木用取付具２における横方向の一方の側端部側に位置する第１係止部３２と、第２係止部３４における該一方の側端部側の部分とで、巾木１の長さ方向の一端を上下から挟持して支持するようにしてもよい。この場合、巾木用取付具２における横方向の他方の側端部側には、該他方の側端部側に位置する第１係止部３２と、第２係止部３４における該他方の側端部側の部分とで、別の巾木１の長さ方向の一端を上下から挟持して支持することができる。
【００４７】
工場等の広い建築物においては、床面の高さが一定になっていないことがある。そのため、複数の巾木を並べて設置する際に、隣り合う巾木において対向する端部のいずれか又は両方が傾くことがある。しかし、この例の巾木用取付具２のように、ベース板部の上端側において、ベース板部の両方の側端側にそれぞれ第１係止部を設けた態様では、上記のように２つの巾木を取り付ける場合に、それぞれの第１係止部が独立して各巾木の端部を係止することができる。そのため、対向する各巾木の端部のいずれかが傾いていたとしても、それぞれの第１係止部の形状が各巾木の端部の位置に合わせて変形しやすいことから、各巾木をよりしっかりと支持することができる。
【００４８】
また、図８に示すように、巾木用取付具２の第１係止部３２と第２係止部３４によって、巾木１における長さ方向の端部以外の部分を支持するようにしてもよい。巾木が長い場合には、巾木における長さ方向の端部と、それ以外の部分の両方が別々の巾木用取付具で支持されるように巾木を取り付けることが好ましい。
【００４９】
（施工方法）
巾木の取付構造２００の施工方法としては、例えば、以下に示す方法が挙げられる。まず、図６に例示した状態に先立って、ベース板部３０に形成された貫通孔３６にビス１１０が挿入されるように、ビス１１０を下地材１０６まで打ち込んで、巾木用取付具２を壁材１０２に固定する。次いで、図６（Ａ）に示すように、巾木１を斜めにして巾木本体３における側壁部１２の上端部分を、巾木用取付具２における第１係止部３２の下側に嵌め込む。次いで、巾木本体３の下端側部分を巾木用取付具２に向かって押し込む。これにより、図６（Ｂ）に示すように、巾木本体３の下端側部分が巾木用取付具２における第２係止部３４を下方に押し開きながら嵌まり込むことで、巾木本体３が巾木用取付具２の第１係止部３２と第２係止部３４によって上下から挟持されて支持される。
【００５０】
以上説明したように、本発明の巾木の取付構造においては、巾木が備える巾木本体の側壁部側を、巾木用取付具が備える第１係止部と第２係止部によって上下から挟持するように支持する態様を採用している。そのため、本発明では、巾木が壁材から過度に突き出ることを抑制しつつ、低コストに充分な強度を確保した巾木を取り付けることができる。
【００５１】
なお、本発明の巾木の取付構造は、前記した巾木１と巾木用取付具２を用いるものには限定されない。本発明の巾木の取付構造は、例えば、図９及び図１０に例示した巾木４を用いたものであってもよい。図９及び図１０における図２及び図５と同じ部分には同符号を付して説明を省略する。
巾木４は、巾木本体３Ａと、軟質片５と、接続部材６とを備える。
【００５２】
巾木本体３Ａは、底壁部１０の代わりに底壁部１０Ａを備える以外は、巾木本体３と同じである。底壁部１０Ａは、先端面１０ｃに巾木本体３Ａの長さ方向に延びる凹条３８が形成され、底面１０ｂにおける先端面１０ｃ寄りの位置に、巾木本体３Ａの長さ方向に延びる凹条４０が形成されている以外は、底壁部１０と同じである。底壁部１０Ａの先端部分には、凹条３８と凹条４０によってそれらの間の部分に嵌合突起４２が形成されている。底壁部１０Ａに形成された嵌合突起４２には、接続部材６が嵌合するようになっている。
【００５３】
軟質片５は接続部材６とは一体に形成されており、接続部材６を介して巾木本体３Ａの底壁部１０Ａに軟質片５が取り付けられている。
接続部材６は、長尺の第１平板部４４と、長尺の第２平板部４６と、凸条４８と、凸条５０とを備えている。第２平板部４６は、第１平板部４４の一方の側端から垂直に立ち上がり、第１平板部４４の長さ方向に延在するように設けられている。凸条４８は、第１平板部４４における第２平板部４６が位置する側と反対側の側端から、第２平板部４６が存在する方向に突出するように、第１平板部４４の長さ方向に沿って形成されている。凸条５０は、第２平板部４６における第１平板部４４が位置する側と反対側の側端から、第１平板部４４が存在する方向に突出するように、第２平板部４６の長さ方向に沿って形成されている。軟質片５は、第１平板部４４における第２平板部４６が位置する側の側端から、第２平板部４６と反対側に突出するように設けられている。
【００５４】
接続部材６の凸条４８と凸条５０が底壁部１０Ａに形成された凹条４０と凹条３８にそれぞれ嵌められ、接続部材６における第１平板部４４、第２平板部４６、凸条４８及び凸条５０の内側に底壁部１０Ａの嵌合突起４２が嵌まり込むことで、接続部材６が底壁部１０Ａに取り付けられる。
【００５５】
この例では、底壁部１０Ａの嵌合突起４２と接続部材６を嵌合させて取り付けた状態において、接続部材６における第１平板部４４の外面が底壁部１０Ａの底面１０ｂよりも上側に位置するようになっている。本発明では、巾木を床材と壁材で形成される隅部に設置したときに軟質片が床材にしっかりと密着する範囲内であれば、接続部材を介して軟質片を巾木本体に取り付ける態様において、このように接続部材が底壁部の底面よりも上側に入り込んだ状態にしてもよい。これにより、床材と壁材で形成される隅部に巾木を設置したときに巾木本体における底壁部の先端側が浮き上がりにくくなるため、巾木をより安定に設置できる。
【００５６】
接続部材を形成する材料としては、例えば、ポリ塩化ビニル樹脂、ポリプロピレン樹脂、ポリエチレン樹脂、ポリスチレン樹脂、ＡＢＳ樹脂、ＡＳＡ樹脂、ＰＥＴ樹脂等が挙げられる。
接続部材を形成する材料としては、１種を単独で使用してもよく、２種以上を組み合わせて使用してもよい。
【００５７】
軟質片５は、可撓性を有する長尺の板状部材である。接続部材６が底壁部１０Ａに取り付けられている状態では、軟質片５は底壁部１０Ａの底面１０ｂよりも下方に突き出るようになっている。図１０に示すように、床材１００と壁材１０２で形成される隅部１０４に巾木４を設置したときには、軟質片５は床材１００に追従するように変形しつつ押し付けられ、床材１００に密着する。これにより、軟質片５によって水や埃が堰き止められて、底壁部１０Ａと床材１００との間に水や埃等が入り込むことが抑制される。
【００５８】
この例の軟質片５は、先端に向かうにつれて厚みが薄くなっている。軟質片は、このように先端に向かうにつれて厚みが薄くなっていることが好ましい。これにより、軟質片が床材に押し付けられたときに軟質片の先端部側が撓んで床材に追従しやすくなる。そのため、軟質片の反発力によって巾木本体の底壁部が床面から浮き上がることを抑制しつつ、軟質片を床材に充分に密着させ、底壁部と床材との間に水や埃等が入り込むことを抑制することが容易になる。
なお、軟質片は先端に向かうにつれて厚みが薄くなる態様には限定されない。
【００５９】
また、この例では、軟質片５がその先端が側壁部１２から遠ざかるように湾曲し、軟質片５の先端が、底壁部１０の先端面１０ｃよりも幅方向の外側に位置するようになっている。このように、軟質片の先端が底壁部の先端面よりも幅方向の外側に位置するようになっていることが好ましい。これにより、軟質片の先端部分が底壁部の先端面よりも外側で床材に密着するため、底壁部の先端部と床材の間に水や埃等が入り込むことをよりしっかりと抑制することができる。
なお、軟質片の先端が底壁部の先端面よりも幅方向の外側に位置していない態様であってもよい。
【００６０】
軟質片を形成する材料としては、特に限定されず、例えば、軟質ポリ塩化ビニル樹脂、熱可塑性エラストマー（オレフィン系熱可塑性エラストマー、スチレン系熱可塑性エラストマー、ポリエステル系熱可塑性エラストマー等）が好ましい。
軟質片を形成する材料としては、１種を単独で使用してもよく、２種以上を組み合わせて使用してもよい。
【００６１】
接続部材と軟質片の製造方法は特に限定されない。例えば、接続部材と軟質片が一体に形成された部材を製造する場合には、接続部材を形成する樹脂と、軟質片を形成する樹脂を用いた共押出成形等を採用することができる。
【００６２】
巾木４を用いる巾木の取付構造２００Ａにおいても、巾木用取付具の第１係止部と第２係止部によって巾木本体３Ａの側壁部１２側を上下から挟持するように巾木４を取り付けることで、巾木が壁材から過度に突き出ることを抑制しつつ、低コストに充分な強度を確保した巾木を取り付けることができる。
また、巾木の取付構造２００Ａでは、床材と壁材で形成される隅部に設置したときに軟質片が床材に押し付けられて密着することで、底壁部の先端側から底壁部と床材と間に水や埃等が入り込むことが抑制される。このように、軟質片を備える巾木を用いる態様は、より優れた衛生性を確保しやすいことから、特に優れた衛生性が求められる食品工場や、クリーンルーム等において特に有用である。
【００６３】
本発明の巾木の取付構造に用いる巾木が軟質片を備える場合、軟質片は、接続部材を介さずに巾木本体の底壁部に直接取り付けられていてもよい。
本発明に用いる巾木においては、巾木本体の底壁部における先端面よりも側壁部側に軟質片が設けられていてもよい。この場合、軟質片は底壁部の先端面に近いほど好ましく、施工後に軟質片の先端が、底壁部の先端面よりも幅方向の外側に位置するようになっていることがより好ましい。
【００６４】
本発明の巾木の取付構造においては、ベース板部の上端側において、ベース板部の壁材に面する側と反対側の表面から突出し、かつ一方の側端部から他方の側端部まで延在する第１係止部が設けられた巾木用取付具を用いる態様であってもよい。
【００６５】
また、本発明の巾木の取付構造において、巾木用取付具における第１係止部の下面に第１傾斜面を形成する場合、巾木用取付具２のように板状の第１係止部を屈曲させることで第１傾斜面を形成する態様には限定されない。例えば、図１１（Ａ）に示すように、ベース板部３０から垂直に突出する板状片３２ｂの先端側の下面から断面三角形状の突起部３２ｃが形成されることで、突起部３２ｃのベース板部３０側に第１傾斜面３２ａが形成された第１係止部３２Ａを備えるものであってもよい。
【００６６】
また、本発明の巾木の取付構造においては、第１傾斜面を有しない第１係止部と、第２傾斜面を有しない第２係止部とを備える巾木用取付具を用いるものであってもよい。例えば、図１１（Ｂ）に示すように、ベース板部３０の表面３０ａから垂直に突出した後に下方に向かって垂直に屈曲した第１係止部３２Ｂと、ベース板部３０の下端から表面３０ａ側に水平方向に突出した後に上方に垂直に屈曲した第２係止部３４Ｂとを備える巾木用取付具２Ａを用いるものであってもよい。この例の巾木１Ａにおける巾木本体３Ｂの側壁部１２の上面１２ｃには、第１係止部３２Ｂにより係止される垂直面を有する凹条の上側係止部２０Ａが形成されている。また、底壁部１０の底面１０ｂにおける角部１６寄りには、第２係止部３４Ｂにより係止される垂直面を有する凹条の下側係止部２２Ａが形成されている。
【００６７】
本発明の巾木の取付構造は、壁材と床材で形成される隅部において、壁材のボード材が床材まで達している状態で、該ボード材上に固定された巾木用取付具を介して巾木が取り付けられる態様であってもよい。この態様では、巾木本体の側壁部の上端面と、巾木用取付具における該上端面上に位置する部分は、必要に応じてシーリング材によって隠してもよい。この場合、側壁部及び巾木用取付具上に付与したシーリング材の上面を、壁材から遠ざかるにつれて低くなるように傾斜させることが好ましい。これにより、シーリング材上に埃が溜まりにくくなり、また溜まった埃を取り除くことも容易になる。
【符号の説明】
【００６８】
１、４  巾木
２  巾木用取付具
３、３Ａ  巾木本体
５  軟質片
６  接続部材
１０、１０Ａ  底壁部
１２  側壁部
１４  隅部
１６  角部
１８  傾斜面
２０  上側係止部
２２  下側係止部
２４、２６  凹条
３０  ベース板部
３２  第１係止部
３４  第２係止部
３６  貫通孔
１００  床材
１０２  壁材
１０４  隅部
２００、２００Ａ  巾木の取付構造
【図１】
2017025650.tif 000003
【図２】
2017025650.tif 000004
【図３】
2017025650.tif 000005
【図４】
2017025650.tif 000006
【図５】
2017025650.tif 000007
【図６】
2017025650.tif 000008
【図７】
2017025650.tif 000009
【図８】
2017025650.tif 000010
【図９】
2017025650.tif 000011
【図１０】
2017025650.tif 000012
【図１１】
2017025650.tif 000013